【手続補正書】
【提出日】平成16年8月20日(2004.8.20)
【手続補正１】
【補正対象書類名】明細書
【補正対象項目名】発明の名称
【補正方法】変更
【補正の内容】
【発明の名称】オーディオ信号のエンコード方法、オーディオ信号送信受信方法及びコンピュータプログラムの記録媒体
【手続補正２】
【補正対象書類名】明細書
【補正対象項目名】特許請求の範囲
【補正方法】変更
【補正の内容】
【特許請求の範囲】
【請求項１】
アナログオーディオ信号をＡ／Ｄ変換してオーディオデータを生成するステップと、
複数のオーディオオブジェクト（ＡＯＢ）を含むオーディオタイトルセット（ＡＴＳ）と、第１のオーディオマネージャ（ＳＡＭＧ）と、第２のオーディオマネージャ（ＡＭＧ）とを有し、
前記オーディオオブジェクト（ＡＯＢ）が、
実データとして前記オーディオデータを有する第１のパックのみにより構成された第１のオーディオ・セル（ＡＴＳ−Ｃ）から構成される第１のオーディオオブジェクト（ＡＯＢ）と、
前記第１のパック、及び実データとして前記オーディオデータに関するリアルタイムインフォメーションデータを有する第２のパックにより構成された第２のオーディオ・セル（ＡＴＳ−Ｃ）から構成される第２のオーディオオブジェクト（ＡＯＢ）の２種類で構成され、さらに、前記オーディオデータに関するスチルピクチャデータを含む第３のパックを有し、
前記オーディオタイトルセット（ＡＴＳ）が前記複数のオーディオオブジェクト（ＡＯＢ）をその再生順に再生するための制御情報であってオーディオ・セル単位で再生制御するためのオーディオ・セル・プレイバック・インフォメーション（ＡＴＳ−Ｃ−ＰＢＩ）を有する制御情報（ＡＴＳ−ＰＧＣＩＴ）を含むオーディオタイトルセット・インフォメーション（ＡＴＳＩ）を有し、このオーディオタイトルセット・インフォメーション（ＡＴＳＩ）が、前記スチルピクチャデータをページ制御する制御情報であって前記スチルピクチャデータのディスプレイモード情報（ＡＳＶ−ＤＭＯＤ）を含むスチルピクチャ制御情報（ＳＰＣＩＴ）を有し、
前記第１のオーディオマネージャ（ＳＡＭＧ）が前記オーディオタイトルセット（ＡＴＳ）の頭出しを行うためのデータが格納されたＴＯＣテーブル（ＳＡＰＰ）を有し、
前記第２のオーディオマネージャ（ＡＭＧ）が前記オーディオタイトルセット（ＡＴＳ）のオーディオタイトルをサーチするための管理情報（ＡＭＧＩ）を有してなる、
データ構造にフォーマット化するステップと、
を有するオーディオ信号のエンコード方法。
【請求項２】
請求項１に記載のオーディオ信号のエンコード方法によりエンコードされて生成されたデータ構造のデータを送信または受信するオーディオ信号送信受信方法であって、
前記データを所定の通信フォーマットに変換して送信し、または前記所定の通信フォーマットに変換されたデータを受信して元のデータに復元するステップを有するオーディオ信号送信受信方法。
【請求項３】
請求項１に記載のオーディオ信号のエンコード方法によりエンコードされて生成されたデータ構造が記録されたデータを再生するためのコンピュータプログラムが記録されたコンピュータプログラムの記録媒体であって、
前記第１、第２及び第３のパックを振り分けるステップと、
前記パックを振り分けるステップにより振り分けられた第１のパックを第１のバッフに蓄積するステップと、
前記ステップにより第１のバッファに蓄積された第１のパックに基づいてオーディオデータをデコードする第１のデコードのステップと、
前記パック振り分けのステップにより振り分けられた第２のパックを第２のバッファに蓄積するステップと、
前記ステップにより第２のバッファに蓄積された第２のパックに基づいてリアルタイムインフォメーションデータをデコードする第２のデコードのステップと、
前記パック振り分けのステップにより振り分けられた第３のパックを第３のバッファに蓄積するステップと、
前記ステップにより第３のバッファに蓄積された第３のパックに基づいてスチルピクチャデータをデコードする第３のデコードのステップと、
前記オーディオタイトルセット・インフォメーション（ＡＴＳＩ）からディスプレイモード情報（ＡＳＶ−ＤＭＯＤ）を含むスチルピクチャ制御情報（ＳＰＣＩＴ）をデコードする第４のデコードのステップと、
前記ＴＯＣテーブルに従って前記第１、第２、または第３のデコードのステップからのデータの少なくとも１つを、前記第４のデコードのステップから取り出されたディスプレイモード情報（ＡＳＶ−ＤＭＯＤ）に基づいて制御するステップとを、
有するコンピュータプログラムの記録媒体。
【手続補正３】
【補正対象書類名】明細書
【補正対象項目名】０００１
【補正方法】変更
【補正の内容】
【０００１】
【発明の属する技術分野】本発明は、オーディオ信号のエンコード方法、オーディオ信号送信受信方法及びコンピュータプログラムの記録媒体に関する。
【手続補正４】
【補正対象書類名】明細書
【補正対象項目名】０００６
【補正方法】変更
【補正の内容】
【０００６】
そこで、本発明は、オーディオ信号を主として記録する場合にユーザにとって簡易に再生することができて使い勝手がよく、また、実時間の管理を簡単にすることができるオーディオ信号のエンコード方法、オーディオ信号送信受信方法及びコンピュータプログラムの記録媒体を提供することを目的とする。
【手続補正５】
【補正対象書類名】明細書
【補正対象項目名】０００７
【補正方法】変更
【補正の内容】
【０００７】
【課題を解決するための手段】
本発明は上記目的を達成するために、以下の１）〜３）に記載の手段よりなる。
すなわち、
【手続補正６】
【補正対象書類名】明細書
【補正対象項目名】０００８
【補正方法】変更
【補正の内容】
【０００８】
１）アナログオーディオ信号をＡ／Ｄ変換してオーディオデータを生成するステップと、
複数のオーディオオブジェクト（ＡＯＢ）を含むオーディオタイトルセット（ＡＴＳ）と、第１のオーディオマネージャ（ＳＡＭＧ）と、第２のオーディオマネージャ（ＡＭＧ）とを有し、
前記オーディオオブジェクト（ＡＯＢ）が、
実データとして前記オーディオデータを有する第１のパックのみにより構成された第１のオーディオ・セル（ＡＴＳ−Ｃ）から構成される第１のオーディオオブジェクト（ＡＯＢ）と、
前記第１のパック、及び実データとして前記オーディオデータに関するリアルタイムインフォメーションデータを有する第２のパックにより構成された第２のオーディオ・セル（ＡＴＳ−Ｃ）から構成される第２のオーディオオブジェクト（ＡＯＢ）の２種類で構成され、さらに、前記オーディオデータに関するスチルピクチャデータを含む第３のパックを有し、
前記オーディオタイトルセット（ＡＴＳ）が前記複数のオーディオオブジェクト（ＡＯＢ）をその再生順に再生するための制御情報であってオーディオ・セル単位で再生制御するためのオーディオ・セル・プレイバック・インフォメーション（ＡＴＳ−Ｃ−ＰＢＩ）を有する制御情報（ＡＴＳ−ＰＧＣＩＴ）を含むオーディオタイトルセット・インフォメーション（ＡＴＳＩ）を有し、このオーディオタイトルセット・インフォメーション（ＡＴＳＩ）が、前記スチルピクチャデータをページ制御する制御情報であって前記スチルピクチャデータのディスプレイモード情報（ＡＳＶ−ＤＭＯＤ）を含むスチルピクチャ制御情報（ＳＰＣＩＴ）を有し、
前記第１のオーディオマネージャ（ＳＡＭＧ）が前記オーディオタイトルセット（ＡＴＳ）の頭出しを行うためのデータが格納されたＴＯＣテーブル（ＳＡＰＰ）を有し、
前記第２のオーディオマネージャ（ＡＭＧ）が前記オーディオタイトルセット（ＡＴＳ）のオーディオタイトルをサーチするための管理情報（ＡＭＧＩ）を有してなる、
データ構造にフォーマット化するステップと、
を有するオーディオ信号のエンコード方法。
２）１）に記載のオーディオ信号のエンコード方法によりエンコードされて生成されたデータ構造のデータを送信または受信するオーディオ信号送信受信方法であって、
前記データを所定の通信フォーマットに変換して送信し、または前記所定の通信フォーマットに変換されたデータを受信して元のデータに復元するステップを有するオーディオ信号送信受信方法。
３）１）に記載のオーディオ信号のエンコード方法によりエンコードされて生成されたデータ構造が記録されたデータを再生するためのコンピュータプログラムが記録されたコンピュータプログラムの記録媒体であって、
前記第１、第２及び第３のパックを振り分けるステップと、
前記パックを振り分けるステップにより振り分けられた第１のパックを第１のバッフに蓄積するステップと、
前記ステップにより第１のバッファに蓄積された第１のパックに基づいてオーディオデータをデコードする第１のデコードのステップと、
前記パック振り分けのステップにより振り分けられた第２のパックを第２のバッファに蓄積するステップと、
前記ステップにより第２のバッファに蓄積された第２のパックに基づいてリアルタイムインフォメーションデータをデコードする第２のデコードのステップと、
前記パック振り分けのステップにより振り分けられた第３のパックを第３のバッファに蓄積するステップと、
前記ステップにより第３のバッファに蓄積された第３のパックに基づいてスチルピクチャデータをデコードする第３のデコードのステップと、
前記オーディオタイトルセット・インフォメーション（ＡＴＳＩ）からディスプレイモード情報（ＡＳＶ−ＤＭＯＤ）を含むスチルピクチャ制御情報（ＳＰＣＩＴ）をデコードする第４のデコードのステップと、
前記ＴＯＣテーブルに従って前記第１、第２、または第３のデコードのステップからのデータの少なくとも１つを、前記第４のデコードのステップから取り出されたディスプレイモード情報（ＡＳＶ−ＤＭＯＤ）に基づいて制御するステップとを、
有するコンピュータプログラムの記録媒体。